(57)【要約】【課題】小型でコンパクトな、複数種類の棋戦を楽しめる、携帯便利な綜合棋盤組み入れ箱を提供する。【解決手段】直方体の箱体の表面の相対する２稜辺に各々１本の心棒を取り付け、その上に色々な棋盤図を形成した棋盤布を取り卷き、その上に透明な表示窓を設け、両心棒の間を伝動ベルトで連結し、何れかの心棒の端部に取り付けたホイールを手で操作して両心棒を回転させ、表示窓の下の棋盤布に色々な棋盤図を展示させ、対局者の希望する種類の棋戦を楽しめるようにした。【選択図】図２
0003120202.tif 000002
【実用新案登録請求の範囲】
【請求項１】
直方体の箱体と、
前記箱体の表面の相対する２稜辺に取り付けられた第一心棒及び第二心棒と、
両心棒上に取り卷かれ、複数の棋盤図が形成された１枚の棋盤布と、
前記箱体の表面に取り付けられた枠板と、
前記枠板に嵌め込まれ、棋盤面を視認できる表示窓と、
前記箱体に取り付けられ、前記棋盤図を水平に保持して前記表示窓から観察できるように、前記棋盤布を下方から支持する受板と、を有し、
両心棒中のいずれか１本を回転させ、両心棒に卷かれた棋盤布を移動展開させることにより、前記表示窓の下に色々な棋盤図を具現して各種の棋戦の実施を可能にしたことを特徴とする、綜合棋盤組み入れ箱。
【請求項２】
前記第一心棒及び第二心棒の間には１本の伝動ベルトが布設されおり、両心棒中のいずれか１本が回転させられることにより、他の１本が従動させられることを特徴とする、請求項１に記載の綜合棋盤組み入れ箱。
【請求項３】
前記第一心棒の両端部には各々１つのホイールが取り付けられており、前記ホイールが操作されることにより、前記第一心棒が回転させられることを特徴とする、請求項１に記載の綜合棋盤組み入れ箱。
【請求項４】
前記第二心棒の両端部には各々１つのホイールが取り付けられてあり、前記ホイールが操作されることにより、前記第二心棒が回転させられることを特徴とする、請求項１に記載の綜合棋盤組み入れ箱。
【請求項５】
両心棒と前記伝動ベルトとの接触面は、その接触部の摩擦力を増強するため、他の部分よりもざらざらした粗面に形成されていることを特徴とする、請求項２に記載の綜合棋盤組み入れ箱。
【請求項６】
前記箱体の両心棒が取り付けられている両端面には各々、駒を收納するための引出しが備えられていることを特徴とする、請求項１に記載の綜合棋盤組み入れ箱。
【考案の詳細な説明】
【技術分野】
【０００１】
本考案は、小型でコンパクトな、複数種類の棋戦を楽しめる携帯便利な綜合棋盤組み入れ箱に関する。
【背景技術】
【０００２】
幾種類かの棋戦を楽しめる組み入れ型の棋盤箱（例えば２、３、４〜９種類に至る組み入れ型など）は従来からある。その形態には、重畳式、折畳み式、引出し式、本棚式など色々に分けられる。それらの何れも、箱体の表面に、対局者が要求する種類の棋盤を選択的に具現できる（例えば将棋、碁、中国将棋、西洋将棋（チェス）など）。
【０００３】
しかしながら、従来の綜合棋盤組み入れ箱は、１つの箱体に多種類の棋盤とその駒などを收納するため、サイズが大きく、重量も重くなり、携帯には不便であった。
【０００４】
以上の事情に鑑み、その欠点を改善せんがため、本願の考案者は、多年棋盤製造業に従事してきた経験に基づき、長期の苦心研鑚の結果、遂に本願の綜合棋盤組み入れ箱の開発の成功を見るに至った。
【考案の開示】
【考案が解決しようとする課題】
【０００５】
本考案は上述した課題に鑑みてなされたものであり、本考案の目的は、小型でコンパクトな、複数種類の棋戦を楽しめる、携帯便利な綜合棋盤組み入れ箱を提供することにある。
【課題を解決するための手段】
【０００６】
上記の目的を達成するため、本考案は、直方体の箱体と、前記箱体の表面の相対する２稜辺に取り付けられた第一心棒及び第二心棒と、両心棒上に取り卷かれ、複数の棋盤図が形成された１枚の棋盤布と、前記箱体の表面に取り付けられた枠板と、前記枠板に嵌め込まれ、棋盤面を視認できる表示窓と、前記箱体に取り付けられ、前記棋盤図を水平に保持して前記表示窓から観察できるように、前記棋盤布を下方から支持する受板と、を有し、両心棒中のいずれか１本を回転させ、両心棒に卷かれた棋盤布を移動展開させることにより、前記表示窓の下に色々な棋盤図を具現して各種の棋戦の実施を可能にした、綜合棋盤組み入れ箱を提供した。
【０００７】
なお、本考案に係る綜合棋盤組み入れ箱に関するその他の特徴、利点や運用に関しては、明細書添付の図面を参照して、以下に説明する実施形態により明らかとなる。
【考案の効果】
【０００８】
本考案に係る綜合棋盤組み入れ箱は、色々な棋盤図を両心棒の回転により具現できるので、なんら箱体の重量やサイズを増加させることなく、対局者が色々な棋戦を楽しむことができる。また、サイズがコンパクトで軽量なので、持ち運びも便利である。
【０００９】
以上を総合すると、本考案は、その形態において確かに創意性があるのみならず、従来の製品に比べ、上述の卓越せる機能を持ち、新規性及び進歩性の法定要件に十分合致するものと考えられる。
【考案を実施するための最良の形態】
【００１０】
以下、本考案の実施の形態を、図面を参照して詳細に説明する。
【００１１】
図１は本考案に係る綜合棋盤組み入れ箱の概略斜視図、図２は、図１に示される綜合棋盤組み入れ箱の分解斜視図である。
【００１２】
両図によると、この綜合棋盤組み入れ箱の箱体１１は直方体をなし、その表面の相対する２稜辺近傍には各々、第一心棒１２と第二心棒１３が取り付けられていて、両者間の距離は、ちょうど棋盤の図面が表示できるように選定されている。
【００１３】
両心棒１２、１３には色々な棋盤図がプリントされた、１枚の棋盤布１４が取り卷かれている。両心棒１２、１３の間には伝動ベルト１５が布設されていて、両心棒１２、１３中の任意の１本を回転させることにより、他の心棒も従動して回転し、色々な棋盤図を見えるように展示する。
【００１４】
箱体１１の表面には枠板１６が取り付けられていて、棋盤面を透視できる透明な表示窓１７がこの枠板１６に嵌め込まれている。また、受板１８が棋盤布１４を下方から支持し、棋盤図を水平に保って、表示窓１７から観察できるようになっている。
【００１５】
図３は、本考案に係る綜合棋盤組み入れ箱の操作要領を示す説明図であり、図４は、その使用状態を示した図である。
【００１６】
使用にあたり、心棒１２または１３を回転させることにより、棋盤布１４は展開されて、表示窓１７の下に色々な棋盤図を展示する。これにより対局者は、その希望する棋盤図を選んで棋戦を楽しめるのである。
【００１７】
また、図１と図２に示すように、第一心棒１２の両端部に各々１つのホイール１２１を取り付け、手でホイール１２１を操作して、第一心棒１２を回転させるのである。
【００１８】
また、ホイール１３１を第二心棒１３の両端部に各々取り付け、手でホイール１３１を操作して、第二心棒１３を回転させてもよい。もちろん図示のように、第一心棒１２及び第二心棒１３のそれぞれの両端部に各々１つのホイール１２１，１３１を取り付け、手でホイール１２１または１３１を操作して、第一心棒１２または第二心棒１３を回転させるように構成してもよい。
【００１９】
また、両心棒１２、１３と伝動ベルト１５との接触面は、その接触部の摩擦力を増強するため、特にざらざらした粗面に形成されている。
【００２０】
また、箱体１１の両心棒１２、１３が取り付けられる両端面には各々、駒やその他の道具を收納するための引出し１９が備えられている。
【００２１】
また、棋盤図１４の材質としては、布、紙、プラスチツクなどのシート状に形成し得る任意の材質が挙げられる。
【００２２】
上述したように、本考案においては、直方体の箱体の表面の相対する２稜辺に各々１本の心棒を取り付け、その上に色々な棋盤図を形成した棋盤布を取り卷き、その上に透明な表示窓を設け、両心棒の間を伝動ベルトで連結し、何れかの心棒の端部に取り付けたホイールを手で操作して両心棒を回転させ、表示窓の下の棋盤布に色々な棋盤図を展示させ、対局者の希望する種類の棋戦を楽しめるようにした。
【００２３】
このように構成された本考案に係る綜合棋盤組み入れ箱は、色々な棋盤図を両心棒の回転により具現できるので、なんら箱体の重量やサイズを増加させることなく、対局者が色々な棋戦を楽しむことができる。また、サイズがコンパクトで軽量なので、持ち運びも便利である。
【００２４】
以上を総合すると本考案は、その形態において確かに創意性があるのみならず、従来の製品に比べ、上述の卓越せる機能を持ち、新規性及び進歩性の法定要件に十分合致するものと考えられる。
【００２５】
明細書に記載された実施形態は、本考案の技術的範囲を制限するものではなく、およそ本考案の技術精神を逸脱せずになされた同等効果の実施、または変更は、全て本考案の技術的範囲内に含まれるものである。
【図面の簡単な説明】
【００２６】
【図１】本考案に係る綜合棋盤組み入れ箱の概略斜視図である。
【図２】本考案に係る綜合棋盤組み入れ箱の分解斜視図である。
【図３】本考案に係る綜合棋盤組み入れ箱の操作要領説明図である。
【図４】本考案に係る綜合棋盤組み入れ箱の使用状態図である。
【符号の説明】
【００２７】
１１    箱体、
１２    第一心棒、
１３    第二心棒、
１４    棋盤布、
１５    伝動ベルト、
１６    枠板、
１７    表示窓、
１８    受板、
１２１、１３１    ホイール、
１９    引出し。
【図１】
0003120202.tif 000003
【図２】
0003120202.tif 000004
【図３】
0003120202.tif 000005
【図４】
0003120202.tif 000006